(57)【要約】【課題】    住宅の玄関前に設置して防犯効果を高めると共に、間口幅の異なる玄関であっても容易に設置することのできる玄関前柵を提供する。【解決手段】    住宅の玄関前に複数の縦桟３を配設して柵１を形成し、縦桟３の上下部は上レールと下レールに夫々案内して横方向に移動自在とし、前記柵１は隣接する縦桟３を離間した閉成状態と、隣接する縦桟３を近接させた開成状態とを選択することによって、人の通行を規制した。【選択図】        図１
2005200864.tif 000002
【特許請求の範囲】
【請求項１】
住宅の玄関前に複数の縦桟を配設して柵を形成し、該柵は隣接する縦桟を離間した閉成状態と、隣接する縦桟を近接させた開成状態とを選択することによって、人の通行を規制したことを特徴とする玄関前柵。
【請求項２】
上レールと下レールを対向して配置し、縦桟の上下部を上レールと下レールに夫々案内したことを特徴とする請求項１に記載の玄関前柵。
【請求項３】
隣接する縦桟は水平パンタグラフ機構によって連結したことを特徴とする請求項１または２に記載の玄関前柵。
【発明の詳細な説明】
【技術分野】
【０００１】
本発明は、住宅における防犯効果を高める柵に関するものであり、より詳しくは玄関前に柵を設けることにより人の通行を規制して防犯効果を高めることができ、玄関の間口サイズに容易に対応し得る玄関前柵に関するものである。
【背景技術】
【０００２】
従来技術として特許文献１には、集合住宅における居住室の扉と、共用部分である外廊下との間に第二の扉を設け、二重扉とすることにより防犯効果を高めると共に、外廊下側の採光や換気を可能とした玄関構造が開示されている。
【０００３】
特許文献１に記載された玄関構造は、通常設けられる玄関扉の他に、新たに第二の扉を設けるため、コスト高を招くものであった。また、間口幅が異なる玄関前に設置する場合、予め複数の幅を有する扉を用意しておかなければならないものであった。
さらに、玄関扉と外廊下との間に第二の扉を設けたに過ぎないので、人が通行する出入口は明らかであり、ピッキング等の抑止効果はあまり期待できないものである。
【０００４】
【特許文献１】特開平７−２３８６９４号公報
【発明の開示】
【発明が解決しようとする課題】
【０００５】
本発明の目的は、住宅の玄関前に設置して防犯効果を高めると共に、間口の異なる玄関にも容易に設置することのできる安価な玄関前柵を提供することにある。
【課題を解決するための手段】
【０００６】
本発明者は、このような事情に鑑み鋭意検討を重ねた結果、住宅の玄関前に複数の縦桟を配設して柵を形成し、該柵は隣接する縦桟を離間した閉成状態と、隣接する縦桟を近接させた開成状態とを選択することによって、人の通行を規制し、所期の目的を達成したものである。
【０００７】
さらに、上レールと下レールを対向して配置し、縦桟の上下部を上レールと下レールに夫々案内したことにより、上下レールを配設するだけで、柵の設置が完了するので、玄関前への取付けを簡単に行うことができる。
【０００８】
また、隣接する縦桟は水平パンタグラフ機構によって連結したので、玄関の間口幅が異なっても、水平パンタグラフ機構を伸縮することにより間口幅に合わせることができ、また縦桟も均等間隔で配置されるので、外観を良くすることができる。
【発明の効果】
【０００９】
本発明玄関前柵によれば、複数の縦桟を配設して柵を形成し、該柵は隣接する縦桟を離間した閉成状態と、隣接する縦桟を近接させた開成状態とを選択できるので、通常の玄関扉の他に柵の追加による防犯効果を高めることができる。また、縦桟からなる柵の形態を呈しているので、出入口が何処にあるのか分かり難く防犯効果をより一層高めることができる。さらに、隣接する縦桟の間隔を変更して閉成状態と開成状態を選択するので、異なる間口幅の玄関にも取付けることができ、開成状態における柵の収納幅も小さくすることができる。
【発明を実施するための最良の形態】
【００１０】
以下、本発明を実施するための最良の形態を実施例に基づき説明する。
図１乃至図１０は本発明玄関前柵の実施例であり、図中１は柵を表わし、柵１は住宅の玄関扉２の前方に設けられる。柵１は、玄関前庇の軒下等に取付けられるが、庇が無い場合は、簡易構築物の玄関前ポーチとセット化して設ければ良い。
【００１１】
柵１は、複数の縦桟３が平行状に配設されており、縦桟３の上下部は上レール４と下レール５に案内されている。上レール４は玄関前庇の屋根下面に取付けられ、上レール４と対向する床面に下レール５が取付けられている。上レール４は、下面が開口した断面コ字状を呈しており、内部に二列のローラ走行面４１が形成されている。各縦桟３の上端には、一対のローラ３１が設けられており、該ローラ３１がローラ走行面４１上を転動する。
下レール５には凹溝５１が形成されており、縦桟３の下端に設けた水平ローラ３２が凹溝５１内に嵌合している。
よって、各縦桟３は上レール４に吊持状態で支持され、上レール４と下レール５に案内されて移動可能である。
【００１２】
縦桟３の上部には水平パンタグラフ機構６が設けられており、各縦桟３は水平パンタグラフ機構６によって連結されている。Ｘ字状に交差するリンク部材６１、６１の交差部が縦桟３に枢着されており、リンク部材６１の自由端が隣接する他の縦桟３に枢着した他のリンク部材６１の自由端と回動自在に連結している。
各縦桟３は、水平パンタグラフ機構６によって連結されているので、隣接する縦桟３間の距離は全て均等に変化する。
【００１３】
図５において、右端にある縦桟３Ｒはその位置が固定され、左端に位置する縦桟３Ｌには錠装置７が設けられている。錠装置７は縦桟３Ｌに内蔵されており、縦桟３Ｌの側面に設けられたサムターン７１を回転（図７において時計回り）することにより、屈曲していたリンク７２が直線状となり、縦桟３Ｌの上下端からリンク７２の先端に接続されたストッパー軸７３が突出する。突出したストッパー軸は上レール４と下レール５内に形成した係合孔（不図示）と係合し、縦桟３Ｌの位置が固定される。そして、水平パンタグラフ機構６によって連結された縦桟３が上下レール４，５に沿って移動不能となり、柵１による閉成状態が維持される。
【００１４】
次に、柵１を開成状態とするには、サムターン７１を施錠した時とは逆の方向に回転し、リンク７２を屈曲させると、縦桟３Ｌの上下から突出していたストッパー軸７３が係合孔から抜け出て、縦桟３Ｌと上下レール４，５の係合状態が解除される。そして、縦桟３Ｌを図６に示すように右方向へ移動すると、隣接する各縦桟３が近接して開成状態となり、人の通行が可能となる。
【００１５】
図１０は、下レール５の他の実施例を表わす。図４の下レール５は玄関前の床に埋め込んで設置する構成であるが、下レール５を設置する際、床に下レール５を埋め込む穴を掘穿しなければならず、施工に手間を要するものである。そこで、図１０に示す下レール５は、床を掘穿することなく、下レール５を床の上面に定着したものである。下レール５の断面形状は、図１０に示すように蒲鉾形状としているので、下レール５をそのまま床に設置しても、通行の際に下レール５は障害となり難く、設置作業を簡略化することができる。
なお図中８は、水平パンタグラフ機構６を収納するカバー体であり、パンタグラフ機構６を塵や埃から保護し、機構部を覆い隠すことにより外観を良好とするものであるが、特に設けなくても構わない。
【００１６】
本発明玄関前柵１によれば、玄関前に設けた柵１は複数の縦桟３によって形成され、隣接する縦桟３を離間することにより、玄関通路を閉成状態とし、縦桟３を近接することにより、玄関通路を開成状態とするので、扉のように玄関間口の寸法に合わせて形成しなくても、縦桟３の本数あるいは隣接する縦桟間の距離を調整することにより、異なる間口サイズに対応することができる。
また、閉成状態における柵１は扉のように出入口が何処にあるのか分かり難いので、防犯効果をより一層高めることができる。開成状態においては、隣接する縦桟３間の距離を小さくすることにより、柵１をコンパクトに収納することができ、開口部を大きくすることができる。さらに、縦桟３によって形成される柵１なので、玄関の採光、換気性能を悪化することもない。
【００１７】
上記実施例において、柵１は手動操作にて開閉するものとしたが、駆動装置を用いて開閉することも可能である。縦桟３の形状は丸棒としたが、角棒あるいは平板としても構わない。また、一側端に位置する縦桟３を他側端に向けて開閉可能としたが、中央部より両側に向けて開成する構成としても構わない。
【図面の簡単な説明】
【００１８】
【図１】本発明玄関前柵の開成状態と閉成状態を表わす動作説明図
【図２】本発明玄関前柵の閉成状態における上レール部分の側面図
【図３】本発明玄関前柵の開成状態における上レール部分の側面図
【図４】本発明玄関前柵の下レール部分の側面図
【図５】図２における矢視Ａ−Ａを表わす図
【図６】図３における矢視Ｂ−Ｂを表わす図
【図７】本発明玄関前柵における錠装置の説明図
【図８】本発明玄関前柵における錠装置の作動状態を表わす説明図
【図９】本発明玄関前柵を住宅に適用した状態を表わす図
【図１０】本発明玄関前柵における下レールの他例を表わす側面図
【符号の説明】
【００１９】
１      柵
２      玄関扉
３      縦桟
４      上レール
５      下レール
６      水平パンタグラフ機構
【図２】
2005200864.tif 000003
【図３】
2005200864.tif 000004
【図４】
2005200864.tif 000005
【図５】
2005200864.tif 000006
【図６】
2005200864.tif 000007
【図１０】
2005200864.tif 000008
【図１】
2005200864.tif 000009
【図７】
2005200864.tif 000010
【図８】
2005200864.tif 000011
【図９】
2005200864.tif 000012